(57)【要約】      （修正有）【課題】蒸気機器との接続を緩めたり分離させることなく、蒸気洗浄アプリケータの回転を可能にする蒸気洗浄機を提供する。【解決手段】蒸気洗浄機は、蒸気機器に接続可能な蒸気洗浄アプリケータ１０２，１０４を有するが、蒸気洗浄アプリケータは、その蒸気洗浄アプリケータの蒸気機器への接続を緩めることも分離することもなく回転することができる。特に、蒸気ポケット技術を採用する携帯型手持ち式蒸気機器での使用に好適であり得る。具体的には、蒸気発生ユニット１０８と、蒸気洗浄アプリケータと、前記蒸気発生ユニットから前記蒸気洗浄アプリケータの蒸気入口まで蒸気を案内するように構成された蒸気導管１１０と、を具備し、前記蒸気洗浄アプリケータが、前記蒸気導管に接続可能であり、前記蒸気洗浄アプリケータが、前記蒸気洗浄アプリケータの前記蒸気導管への接続を緩めることなく、前記蒸気導管に対していずれの回転方向にも回転可能である。【選択図】図１
0003160354.tif 000002
【実用新案登録請求の範囲】
【請求項１】
蒸気発生ユニットと、
蒸気洗浄アプリケータと、
前記蒸気発生ユニットから前記蒸気洗浄アプリケータの蒸気入口まで蒸気を案内するように構成された蒸気導管と、
を具備し、
前記蒸気洗浄アプリケータが、前記蒸気導管に接続可能であり、
前記蒸気洗浄アプリケータが、前記蒸気洗浄アプリケータの前記蒸気導管への接続を緩めることなく、前記蒸気導管に対していずれの回転方向にも回転可能である、蒸気洗浄機。
【請求項２】
前記蒸気洗浄アプリケータが両端方向を有し、前記蒸気洗浄アプリケータが、前記蒸気洗浄アプリケータの前記蒸気導管への接続を緩めることなく、前記蒸気導管に対し、前記蒸気洗浄アプリケータの前記両端方向を中心にいずれの回転方向にも回転可能である、請求項１に記載の蒸気洗浄機。
【請求項３】
前記蒸気洗浄アプリケータが、前記蒸気導管に接続されるハンドルを有する、請求項１に記載の蒸気洗浄機。
【請求項４】
前記ハンドルが両端方向を有し、前記ハンドルが、前記蒸気洗浄アプリケータの前記蒸気導管への接続を緩めることなく、前記蒸気導管に対し、前記ハンドルの前記両端方向を中心にいずれの回転方向にも回転可能である、請求項３に記載の蒸気洗浄機。
【請求項５】
前記蒸気洗浄アプリケータが、前記蒸気洗浄アプリケータの前記蒸気導管への接続を緩めることなく、前記蒸気導管に対し、前記蒸気洗浄アプリケータの両端方向を中心にいずれの回転方向にも少なくとも１８０度回転可能である、請求項１に記載の蒸気洗浄機。
【請求項６】
前記蒸気洗浄アプリケータが、前記蒸気洗浄アプリケータの前記蒸気導管への接続を緩めることなく、前記蒸気導管に対し、前記蒸気洗浄アプリケータの両端方向を中心にいずれの回転方向にも少なくとも３６０度回転可能である、請求項１に記載の蒸気洗浄機。
【請求項７】
前記蒸気洗浄アプリケータが、前記蒸気洗浄アプリケータの前記蒸気導管への接続を緩めることなく、前記蒸気導管に対し、前記蒸気洗浄アプリケータの両端方向を中心にいずれの回転方向にも繰返し回転可能である、請求項１に記載の蒸気洗浄機。
【請求項８】
前記蒸気洗浄アプリケータが、前記蒸気導管に工具不要接続で接続可能である、請求項１に記載の蒸気洗浄機。
【請求項９】
前記蒸気洗浄アプリケータを前記蒸気導管から取り外すために使用者による少なくとも２つの別個の動作が必要である、請求項８に記載の蒸気洗浄機。
【請求項１０】
前記使用者による少なくとも２つの別個の動作が、ハンドルに対し前記蒸気導管に対する両端方向の力を加えることと、前記ハンドルに対し前記蒸気導管に対するねじり力を加えることとを含む、請求項９に記載の蒸気洗浄機。
【請求項１１】
前記蒸気洗浄アプリケータの前記蒸気導管への接続を緩めることなく、前記蒸気洗浄アプリケータが、前記蒸気導管に対し前記蒸気洗浄アプリケータの前記両端方向を中心にいずれの回転方向にも回転するのを可能にするように作製されかつ構成されるコネクタをさらに具備する、請求項８に記載の蒸気洗浄機。
【請求項１２】
前記コネクタが、（ａ）前記蒸気洗浄アプリケータまたは前記蒸気導管のいずれか一方に配置される外部ねじ部と、（ｂ）前記蒸気洗浄アプリケータおよび前記蒸気導管の他方に配置される内部ねじ部とを有するねじ込み式コネクタを含む、請求項１１に記載の蒸気洗浄機。
【請求項１３】
前記外部ねじ部が、前記外部ねじ部が配置される前記蒸気洗浄アプリケータおよび前記蒸気導管のいずれかに対して選択的に回転可能であり、かつ／または
前記内部ねじ部が、前記内部ねじ部が配置される前記蒸気洗浄アプリケータおよび前記蒸気導管のいずれかに対して選択的に回転可能である、請求項１２に記載の蒸気洗浄機。
【請求項１４】
前記蒸気洗浄アプリケータのハンドルの両端方向において少なくとも所定閾値の力が加えられると、前記選択的に回転可能なねじ部が、前記所定閾値の力が加えられ続ける限り、前記選択的に回転可能なねじ部が配置される前記蒸気洗浄アプリケータおよび前記蒸気導管のいずれかに対して、いずれの回転方向にも１８０度を越えて回転することが防止される、請求項１３に記載の蒸気洗浄機。
【請求項１５】
前記所定閾値の力が加えられると、当該所定閾値の力が、弾性要素によって提供される力に打ち勝つ、請求項１４に記載の蒸気洗浄機。
【請求項１６】
前記少なくとも閾値の力が、前記コネクタの前記ねじ部に伝達される、請求項１５に記載の蒸気洗浄機。
【請求項１７】
前記弾性要素がコイルばねを含み、前記所定閾値の力が、前記選択的に回転可能なねじ部の係合要素が、前記選択的に回転可能なねじ部が配置される前記蒸気洗浄アプリケータおよび前記蒸気導管のいずれかに固定される相補的な係合要素と係合するように、前記ばねを圧縮する、請求項１６に記載の蒸気洗浄機。
【請求項１８】
前記内部ねじ部が、当該内部ねじ部が配置される前記蒸気洗浄アプリケータおよび前記蒸気導管のいずれかに対して選択的に回転可能である、請求項１７に記載の蒸気洗浄機。
【請求項１９】
前記内部ねじ部が、前記蒸気洗浄アプリケータの前記ハンドルに配置される、請求項１８に記載の蒸気洗浄機。
【請求項２０】
前記蒸気導管が可撓性ホースを含む、請求項１に記載の蒸気洗浄機。
【請求項２１】
蒸気発生ユニットと、
ハンドルを有する蒸気洗浄アプリケータと、
前記蒸気発生ユニットから前記蒸気洗浄アプリケータに蒸気を案内する蒸気導管と、
前記蒸気導管を前記蒸気洗浄アプリケータの前記ハンドルに機械的に接続する手段と、
を具備し、
前記ハンドルが、前記ハンドルの前記蒸気導管への接続を緩めることなく、前記蒸気導管に対し前記ハンドルの両端方向を中心にいずれの回転方向にも繰返し回転することができる、蒸気洗浄機。
【考案の詳細な説明】
【技術分野】
【０００１】
考案の分野
本考案は、概して蒸気洗浄機に関し、特に、導管に接続可能であるが、その接続を緩めることも分離することもなく回転するように作製されかつ構成された、蒸気洗浄アプリケータに関する。
【背景技術】
【０００２】
関連技術の説明
家庭において、洗浄および消毒のために床に蒸気を当てる蒸気機器が使用されている。さまざまな種類の蒸気機器が知られており、たとえばキャニスタ型蒸気機器および自立型スチームモップがある。キャニスタ型蒸気機器は、通常、回転式蒸気発生ユニットと、蒸気発生ユニットから蒸気を移送するホースと、ポールと、ポールの端部に接続されるモップヘッドまたは他の付属品とを有している。自立型スチームモップでは、蒸気発生ユニットはポールに直接取り付けられている。手持ち型蒸気機器は、通常、容器と、容器の口から直接蒸気を放出するノズルとを有している。
【考案の概要】
【考案が解決しようとする課題】
【０００３】
本考案の課題は、蒸気洗浄アプリケータと蒸気機器との接続を緩めたり分離させることなく、当該蒸気洗浄アプリケータの回転を可能にすることにある。
【課題を解決するための手段】
【０００４】
概要
本明細書において提供する本考案の実施形態は、蒸気洗浄アプリケータが、蒸気機器に接続可能であるが、その蒸気洗浄アプリケータの蒸気機器への接続を緩めることも分離することもなく回転することが可能である、蒸気機器に関する。
【０００５】
本考案の一実施形態によれば、蒸気洗浄機器は、蒸気発生ユニットと、蒸気洗浄アプリケータと、蒸気発生ユニットから蒸気洗浄アプリケータの蒸気入口まで蒸気を案内するように構成された蒸気導管とを有する。蒸気洗浄アプリケータは、蒸気導管に接続可能であり、蒸気洗浄アプリケータの蒸気導管への接続を緩めることなく、蒸気導管に対していずれの回転方向にも回転可能である。
【０００６】
本考案の別の実施形態によれば、両端方向があるハンドルを有する蒸気洗浄アプリケータの使用方法であり、第１の手でハンドルを把握する動作と、第２の手で蒸気導管を把握する動作と、蒸気洗浄アプリケータの第１ねじ込み部を蒸気導管の第２ねじ込み部と接触させる動作と、蒸気導管に蒸気洗浄アプリケータを接続する動作とを含む。本方法は、蒸気洗浄アプリケータを用いて物体に蒸気を当てる動作と、ハンドルをその両端方向を中心にいずれかの回転方向に回転させ蒸気洗浄アプリケータを回転させる動作とを含み、ハンドルの回転により、蒸気洗浄アプリケータの蒸気導管への接続は緩まない。また、第１ねじ込み部を第２ねじ込み部に対して回転させると同時に、導管と蒸気洗浄アプリケータとの間に軸方向の力を加え、軸方向の力が、弾性要素によって加えられる力を打ち勝つのに十分であり、それにより、第１ねじ込み部および第２ねじ込み部のうちの少なくとも一方が、少なくとも一方のねじ込み部が、それが配置されている蒸気洗浄アプリケータおよび蒸気導管のいずれかに対して回転可能である構成から、それが配置されている蒸気洗浄アプリケータおよび蒸気導管のいずれかに対して回転可能ではない構成に変更されることにより、蒸気導管から蒸気洗浄アプリケータを切り離す方法も含まれる。
【０００７】
本考案のさらなる実施形態によれば、蒸気洗浄機は、蒸気発生ユニットと、ハンドルを有する蒸気洗浄アプリケータと、蒸気発生ユニットから蒸気洗浄アプリケータに蒸気を案内する蒸気導管と、蒸気導管を蒸気洗浄アプリケータのハンドルに機械的に接続する手段とを有する。ハンドルは、ハンドルの蒸気導管への接続を緩めることなく、蒸気導管に対しハンドルの両端方向を中心にいずれの回転方向にも繰返し回転することができる。
【０００８】
本考案のさまざまな実施形態は、いくつかの利点を提供する。本考案のすべての実施形態が同じ利点を共有するとは限らず、同じ利点を共有する実施形態がすべての状況下でそれらを共有するとは限らない。
【０００９】
本考案のさらなる特徴および利点を、本考案のさまざまな実施形態の構造とともに、添付図面を参照して以下詳細に説明する。
【００１０】
添付図面は、原寸に比例して描かれるように意図されてはいない。明確性担保のために、すべての図面においてすべての部品に符号を付しているとは限らない。
【図面の簡単な説明】
【００１１】
【図１】本考案の一実施形態による蒸気機器システムの側面図である。
【図２】本考案の一実施形態によるコネクタの第１部分の側面図である。
【図３】図２に示す第１部分と係合するように構成されたコネクタの第２部分の断面図である。
【図４】図３に示す第２コネクタ部分の部品の組立分解斜視図である。
【考案を実施するための形態】
【００１２】
詳細な説明
本出願人は、蒸気導管への接続に影響を与えることなく自由に回転させることができる、蒸気洗浄アプリケータアセンブリを提供することが重要であることが分かった。蒸気洗浄アプリケータを回転させることができることは、特に、蒸気洗浄アプリケータアセンブリが可撓性ホースまたは他の可撓性導管に取り付けられる手持ち式アセンブリである場合に重要であり得る。それは、使用者が、ホースをねじるかまたはよじることなく蒸気洗浄アプリケータを回転させたい場合があるためである。また、蒸気の損失と蒸気洗浄アプリケータを再度接続する不都合とを回避するために、蒸気洗浄アプリケータの回転中に蒸気洗浄アプリケータの意図しない分離を防止することも望ましい。
【００１３】
本考案のいくつかの実施形態によれば、蒸気機器により、使用者は、同種の動作でかついかなる部品も取り外すことなく、蒸気洗浄アプリケータを係合させかつ分離することができる。実施形態によっては、蒸気洗浄アプリケータを取り外すために２つの別個の動作が必要である。たとえば、使用者は、蒸気洗浄アプリケータを蒸気導管に向かって押し、その後、導管をねじって蒸気導管と蒸気洗浄アプリケータとを切り離す必要があり得る。
【００１４】
本考案の一実施形態によれば、蒸気洗浄アプリケータは、ねじ込み式コネクタ構成によって可撓性蒸気導管に接続され、ねじ込み式コネクタ構成は、使用中に接続に影響を与えることなく蒸気洗浄アプリケータの蒸気導管に対する回転を可能にする。ねじ込み式コネクタは、外部ねじ部と内部ねじ部とを有している。ねじ部のうちの一方、たとえば内部ねじ部は、蒸気洗浄アプリケータのハンドル等の要素内に配置される。内部ねじ部は、ハンドル内で回転するように作製されかつ構成される。内部ねじ部がハンドル内で「浮動する」のを可能にすることにより、ねじ部間の摩擦によって内部ネジ部がハンドル内で回転し、それにより、相補的な外部ねじ部が完全に内部ねじ部にねじ込まれるかまたは内部ねじ部から外れるようにねじれることが実質的に防止される。外部ねじ部を完全に内部ねじ部にねじ込むかまたは内部ねじ部から外れるようにうまくねじるためには、使用者は、２つのねじ部を互いに向かって押し、それによって内部ねじ部がハンドルに一時的に固定され、それにより、２つのねじ部の相対的な回転が可能になる。
【００１５】
図１に、２つの取付可能な蒸気洗浄アプリケータ１０２、１０４を有する蒸気機器システム１００を示す。蒸気洗浄アプリケータ１０２、１０４は、各々ハンドル１０７を有していてもよく、それは、アプリケータに永久的にまたは脱着可能に取り付けられている。図１の実施形態では、蒸気機器システム１００は、蒸気発生ユニット１０８、蒸気導管１１０および取り付けられた蒸気洗浄アプリケータ１０２を有している。蒸気発生ユニット１０８は、いなかる好適な種類の蒸気発生システムを有していてもよく、たとえば冷却水貯蔵器１１２およびアルミニウムダイカスト蒸気発生器（図示せず）があり得る。実施形態によっては、水を、その貯蔵器内でその沸点まで加熱して蒸気を生成してもよい。蒸気発生方法は、本考案の限定態様であるようには意図されていないことが留意されるべきである。
【００１６】
実施形態によっては、蒸気発生ユニット１０８は手持ち型であり、他の実施形態では、ショルダストラップを有していてもよく、あるいは車輪または他のローラを有していてもよい。
【００１７】
蒸気導管１１０は、実施形態によっては可撓性ホースである。蒸気導管１１０は、バヨネットコネクタ等の着脱可能コネクタを含む任意の好適な取付具１１４により、蒸気発生ユニット１０８に取付可能であってもよい。
【００１８】
図２〜図４に、蒸気洗浄アプリケータの蒸気機器への接続に影響を与えることなく、蒸気洗浄アプリケータの回転を可能にする蒸気機器の１つの特定の実施形態を示す。この実施形態では、蒸気機器は、蒸気導管１１０に取り付けられた外部ねじ込み式コネクタ部２０２を有している。蒸気導管１１０およびねじ込み式コネクタ部２０２には、蒸気導管１１０およびハンドル１０７を取り付けるかまたは取り外す時に使用者が把持する把握部２０６が取り付けられている。
【００１９】
蒸気導管は、ハンドル１０７を介して蒸気出口２１２まで蒸気を案内する細長い心棒２０８を有している。心棒２０８にＯリング２１０または他の封止要素を配置して蒸気洗浄アプリケータとの封止を確立してもよく、その封止は蒸気洗浄アプリケータのハンドル内であっても、蒸気洗浄アプリケータ自体の内部であってもよい。図示する実施形態の心棒および封止態様は、限定するものであるようには意図されていない。実施形態によっては、蒸気導管１１０と把握部２０６との接合部に、応力解放スリーブ２１４が含まれていてもよい。
【００２０】
図３に示す実施形態では、ハンドル１０７内に、ねじ山３０４を有する内部ねじ込みコネクタ部３０２が配置されている。コネクタ部３０２は、ハンドル１０７内で回転することができ、止め具３０６と止め具３０８との間で軸方向に移動することも可能である。コネクタ部３０２は、コイルばね３１２によって係止要素３１０から離れるように付勢されている。ばねの代りに、コネクタ部３０２を係止要素３１０から離れる方向に付勢するためにいかなる好適な弾性要素を用いてもよい。たとえば、実施形態によっては、圧縮性弾性発泡ガスケットを用いてもよい。さらに他の実施形態では、定荷重ばね、弾性バンドまたは他の任意の好適な緊張装置が、コネクタ部３０２を引くことにより係止要素３１０から離れる方向に付勢してもよい。
【００２１】
使用者が、最初に、内部ねじ込み式コネクタ部３０２内に外部ねじ込み式コネクタ部２０２を挿入すると、コネクタ部３０２はコネクタ部２０２とともに回転するため、２つの部分が互いに対して回転することでねじ部分が嵌合することはない。しかしながら、使用者が、コイルばね３１２によって提供される力に打ち勝つ少なくとも閾値の力ｆｔの軸方向の力を提供することにより、コネクタ部３０２を係止要素３１０に対して押すと、コネクタ部３０２の係止タブ３１４が回転して係止要素３１０の係止タブ３１６と当接するため、コネクタ部はわずかな角度しか回転しなくなる。回転することができない係止要素３１０により、コネクタ部２０２をねじってコネクタ部３０２と嵌め合い係合させることができる。係止要素３１０は、止め具３１８により、軸方向においてコネクタ部３０２から離れる方向に移動することができない。
【００２２】
このように、蒸気洗浄アプリケータを蒸気導管１１０に取り付けるかまたは蒸気導管１１０から取り外すために、使用者には２つの別個の動作が必要である。図示する実施形態では、２つの別個の動作には、同時に作用する軸方向の力とねじる力とがあるが、他の複数の別個の動作形態を用いてもよい。たとえば、実施形態によっては、蒸気導管を蒸気洗浄アプリケータに接続するためにボールおよび溝のクイックディスコネクトカップリングが用いられる。こうした実施形態では、第１動作は、係止カラーを移動させることを含んでもよく、第２動作は、蒸気洗浄アプリケータのハンドルを蒸気導管から離れる方向に引っ張ることを含んでもよい。実施形態によっては、蒸気洗浄アプリケータを取り外すために２つ以上の別個の動作が必要である一方で、蒸気洗浄アプリケータの取付は単一動作のみで可能な場合もある。
【００２３】
蒸気洗浄アプリケータを取り外すために２つ以上の別個の動作を必要とすることにより、蒸気機器の使用中の蒸気洗浄アプリケータの意図しない分離または緩みを防止することができる。たとえば、使用者は、面を洗浄する時、蒸気洗浄アプリケータを蒸気機器の両端方向を中心にいずれかの方向に回転させる場合があり、蒸気洗浄アプリケータが回転する結果として蒸気導管が回転しないようにすることが有益であり得る。コネクタ部３０２をハンドル１０７に対して回転させることができるようにすることにより、ハンドル１０７は、蒸気導管１１０をねじることなくかつ２つのねじ込み式コネクタの係合を緩めることなく回転することができる。本明細書の目的で、接続を緩めることは、接続に影響を与えることを含むように意図されている。たとえば、実施形態によっては、接続は、分離の危険があるように、完全に係合した状態でなくなる場合もあるが、２つの接続された部品の互いに対する認識可能なほどの移動は可能にしない場合もある。
【００２４】
実施形態によっては、蒸気洗浄アプリケータの両回転方向（たとえば、蒸気洗浄アプリケータの両端方向を中心とする右回りおよび左周り）における回転角度を制限するために、１つまたは複数の回転止め具を含めてもよい。こうした実施形態では、蒸気洗浄アプリケータは、たとえばコネクタ部３０２が回転することができるようにすることにより、一定量回転することができるが、その回転は、回転止め具によってそれ以上回転することが防止される。回転止め具は、ハンドル１０７の止め具３０６と止め具３０８との間の内壁から突出する１つまたは複数のタブ（図示せず）を含んでもよい。実施形態によっては、蒸気洗浄アプリケータは、いずれの方向にも１８０度回転することができ、実施形態によっては、蒸気洗浄アプリケータは、いずれか方向にも３６０度回転することができる。
【００２５】
上述した実施形態により、蒸気機器からの蒸気洗浄アプリケータの工具不要の取付および取外しが可能になる。しかしながら、実施形態によっては工具を使用してもよい。
【００２６】
上述した実施形態は、蒸気機器またはハンドルの両端方向を中心とする蒸気機器またはハンドルの回転に関するが、実施形態によっては、ピッチ回転および／またはヨー回転が同様に可能であってもよい。本明細書で説明した構造に加えて、またはその代りに、ユニバーサルジョイントを用いてもよい。
【００２７】
本明細書の目的で、「接続する」、「接続された」、「接続」、「取り付ける」、「取り付けられた」および「取付」という用語は、直接的な接続および取付、間接的な接続および取付、ならびに動作可能な接続および取付を指す。たとえば、蒸気洗浄アプリケータ１０２は、直接にはハンドル１０７に接続され、ハンドル１０７が蒸気導管１１０に接続されているが、蒸気導管１１０に接続されているものとみなされる。また本明細書の目的で、「接続可能」、「取付可能」、「着脱可能」等の用語は、接続される、取り付けられる、取り外される等が可能な部品を指すとともに、接続される、取り付けられるかつ取り外される部品も指す。
【００２８】
理解を容易にするために、かつ本考案の範囲を限定することなく、本考案が関連する実施形態を、特に、手持ち式携帯型蒸気機器に関して上述している。しかしながら、本考案を他の種類の蒸気機器で具現化することができることが理解されるべきである。さらに、上述した蒸気洗浄アプリケータは蒸気ポケット技術を採用しているが、本明細書で開示した実施形態に関連して他の種類の蒸気洗浄アプリケータを用いてもよい。
【００２９】
このように本考案の少なくとも１つの実施形態のいくつかの態様について説明したが、当業者には、さまざまな改変、変更および改善が容易に思いつくであろうということが理解されるべきである。こうした改変、変更および改善は、本開示の一部であるように意図されており、本考案の精神および範囲内にあるように意図されている。したがって、上述した説明および図面は、単に例としてのものである。
【符号の説明】
【００３０】
１００  蒸気機器システム
１０２，１０４  蒸気洗浄アプリケータ
１０７  ハンドル
１０８  蒸気発生ユニット
１１０  蒸気導管
２０２  外部ねじ込み式コネクタ部
２０８  心棒
３０２  内部ねじ込み式コネクタ部
３０４  ねじ山
３１０  係止要素
３１２  コイルばね
【図１】
0003160354.tif 000003
【図２】
0003160354.tif 000004
【図３】
0003160354.tif 000005
【図４】
0003160354.tif 000006
【手続補正書】
【提出日】平成22年4月9日(2010.4.9)
【手続補正１】
【補正対象書類名】実用新案登録請求の範囲
【補正対象項目名】請求項１１
【補正方法】変更
【補正の内容】
【請求項１１】
前記蒸気洗浄アプリケータの前記蒸気導管への接続を緩めることなく、前記蒸気洗浄アプリケータが、前記蒸気導管に対し前記蒸気洗浄アプリケータの両端方向を中心にいずれの回転方向にも回転するのを可能にするように作製されかつ構成されるコネクタをさらに具備する、請求項８に記載の蒸気洗浄機。
【手続補正２】
【補正対象書類名】実用新案登録請求の範囲
【補正対象項目名】請求項１６
【補正方法】変更
【補正の内容】
【請求項１６】
少なくとも前記所定閾値の力が、前記コネクタの前記ねじ部に伝達される、請求項１５に記載の蒸気洗浄機。